(57)【要約】【課題】現在、市販の防犯或は介護用の通報システムとして、ハンディタイプのリモコンに設けた通報スイッチをＯＮにすると、固定電話機の公衆回線網から管理センターにつながるようにしたものがある。しかし、ハンディタイプのリモコンは、どこかに置き忘れる難点があり、緊急時に役立たないおそれがある。【解決手段】公衆回線網１２に対し直接又は固定電話機２を介して有線又は無線で接続され且つ前記公衆回線網１２に接続された外部の通信装置１５，１５…を呼び出す通報スイッチ９を設けた薬箱１を屋内に備え、必要な時に前記通報スイッチ８をＯＮにして前記外部の通信装置１５，１５…を呼び出すようにした通報システムを提供する。【選択図】        図１
2007325125.tif 000002
【特許請求の範囲】
【請求項１】
公衆回線網に対し直接又は固定電話機を介して有線又は無線で接続され且つ前記公衆回線網に接続された外部の通信装置を呼び出す通報スイッチを設けた薬箱を屋内に備え、必要な時に前記通報スイッチをＯＮにして前記外部の通信装置を呼び出すようにしたことを特徴とする通報システム。
【請求項２】
次の（ａ），（ｂ）の要件を備えてなることを特徴とする薬箱。
（ａ）公衆回線網に対し直接又は固定電話機を介して有線又は無線で接続する。
（ｂ）前記公衆回線網に有線又は無線で接続された外部の通信装置のうち予め登録された回線番号のものを呼び出す通報スイッチを設ける。
【請求項３】
公衆回線網に有線又は無線で接続された管理センターの通信装置を呼び出すセンター用通信スイッチを設けてなることを特徴とする請求項２記載の薬箱。
【発明の詳細な説明】
【技術分野】
【０００１】
本発明は、例えば緊急事態を特定の通信装置に通報する通報システム及びその通報システムに使用する薬箱に関する。
【背景技術】
【０００２】
現在、市販の防犯或は介護用の通報システムとして、通報スイッチをハンディタイプのリモコンとし、その通報スイッチをＯＮにすると固定電話機の公衆回線網から事前に登録した管理センターにつながるようにしたものがある。
【発明の開示】
【発明が解決しようとする課題】
【０００３】
ハンディタイプのリモコンは、どこにでも持ち運べる手軽さがある反面、うっかりどこかに置き忘れる難点がある。また、室内にはテレビ、照明、音響機器、空調機器など、いくつものリモコンがあり、特定のリモコンが見つけにくい事情もある。
もし仮に、テレビや電灯のリモコンが見つけられずとも大事に至るおそれはないが、防犯或は介護用通報システムのリモコンが、緊急時に見つからない場合は、致命的な結果をもたらすおそれがある。
【０００４】
本発明は上記に鑑みなされたもので、その目的は、必要なときに確実に連絡可能な通報システムを提供することにある。
【課題を解決するための手段】
【０００５】
請求項１に記載したように、公衆回線網に対し直接又は固定電話機を介して有線又は無線で接続され且つ前記公衆回線網に接続された外部の通信装置を呼び出す通報スイッチを設けた薬箱を屋内に備え、必要な時に前記通報スイッチをＯＮにして前記外部の通信装置を呼び出すようにした通報システムを提供する。
【０００６】
また、請求項２に記載したように、次の（ａ），（ｂ）の要件を備えてなる薬箱を提供する。
（ａ）公衆回線網に対し直接又は固定電話機を介して有線又は無線で接続する。
（ｂ）前記公衆回線網に有線又は無線で接続された外部の通信装置のうち予め登録された回線番号のものを呼び出す通報スイッチを設ける。
また、請求項３に記載したように、公衆回線網に有線又は無線で接続された管理センターの通信装置を呼び出すセンター用通信スイッチを設けてなる請求項２記載の薬箱を提供する。
【発明の効果】
【０００７】
使用者が体調に異常を感じた場合、咄嗟に誰かに連絡して助けを求めることや、薬のことが脳裏をよぎる。一方、本発明の薬箱には、緊急時の連絡手段と薬の両方が兼ね備わっているため、薬のことを考えた場合と、緊急連絡を考えた場合のどちらの思考を切っ掛けにしても本発明の薬箱にたどり着く。従って体調に異常を来しパニックに陥っている者であっても、本発明の薬箱がある場所に行き、通報スイッチを押して外部に異常を伝えることができる。
また、薬を保管するための薬箱は、殆どの家庭や事務所などに常備されており、その保管場所も決められていて在りかに迷うおそれもないから、通報スイッチを設ける媒体として最適である。
【０００８】
また、請求項３に記載したように薬箱に管理センターの通信装置を呼び出すセンター用通信スイッチを設ければ、薬に関するアドバイスや薬の補充要請が行えるから、薬の誤用防止や薬切れの防止に効果がある。
【発明を実施するための最良の形態】
【０００９】
以下に本発明の実施の形態を図面を参照しつつ説明する。なお、図１は通報システムの概略を説明するブロック図、図２は薬箱の斜視図、図３は通報システムの作動を説明するフローチャート、図４は他の形態を示す薬箱の斜視図である。
【００１０】
本発明の通報システムは、薬箱１と、既存の固定電話機２に対しケーブルで接続される中継装置３で概ね構成される。
【００１１】
前記薬箱１は、図２に示したように把手４を有する箱であって、上面が開口する箱本体５の上に、背側を軸着して手前開きにした蓋体６を設けてなる。箱本体５の一つの側板５ａには前記中継装置３に対し無線で通信信号を送信する送信機７が取り付けられている。そしてその送信機７に通報スイッチ８とセンター用通信スイッチ９が設けられており、その通報スイッチ８とセンター用通信スイッチ９が箱本体５の側板５ａの外面に臨んでいる。
【００１２】
前記中継装置３は、薬箱１と固定電話機２の間に介在させる薬箱１側の付属装置であって、薬箱１に設けた前記送信機７からの通信信号を受信する受信機１０と、主として通報システムのプログラムを書き込んだＲＯＭ並びにデータを読み書きするＲＡＭとからなる記憶手段１１と、固定電話機２を介して公衆回線網１２に接続する電話回路部１３と、前記各要素を制御する制御装置１４と、からなる。なお、固定電話機２と中継装置３と公衆回線網１２の関係は上記に限定されず、例えば電話回路部１３、つまり中継装置３を公衆回線網１２に直接接続し、電話回路部１３に固定電話機２を接続するようにしてもよい。この場合には固定電話機２が中継装置３の電話回路部１３を介して公衆回線網１２に接続される。
【００１３】
しかして前記記憶手段１１のＲＡＭには、前記公衆回線網１２に接続された外部の通信装置１５，１５…を呼び出すための回線番号が登録されている。例えば、ＲＡＭには３人分の回線番号が登録できるようになっており、使用者自身が親族や友人等の回線番号を入力するようになっている。また、ＲＡＭには上記３つの回線番号の他に管理センター１６の回線番号も登録されている。実施形態の管理センター１６は、薬の相談や補充の受付を行う組織とするが、例えば警備を行うような組織や、或は使用者の話に応じて最適な組織を選択しその組織に回線を切り替える仲介的な役割を担う組織であってもよい。
【００１４】
以上の構成である通報システムは、例えば配置薬業と呼ばれる医薬品の流通システムと融合させることにより優れた効果を発揮する。すなわち本発明の薬箱１を薬配置容器として使用し、その中に様々な医薬品を納める。そして、業者が定期的に中の医薬品をチェックし、使用した医薬品の補充や料金回収を行う。また、業者は医薬品のチェックを行う際、薬箱１の送信機７の機能も同時にチェックし、電池の交換など行って送信機７が常に正常に機能するようにメンテナンスを行う。
【００１５】
日常生活において、もし使用者が医薬品について質問事項が発生したり、或は医薬品の補充要請を業者に伝えたい場合は、薬箱１のセンター用通信スイッチ９を押す。そうするとその通信信号を中継装置３の受信機１０が受信し、その通信信号がセンター用通信スイッチ９のものであると判断した制御装置１４が記憶手段１１のＲＡＭから管理センター１６の回線番号を読み出し、その回線番号に従い電話回路部１３、固定電話機２を経て公衆回線網１２から管理センター１６を呼び出す。そして、回線がつながった後は固定電話機２の受話器で管理センター１６の担当者と通話する。なお、好ましくは薬箱１又は中継装置３にハンズフリーの通話機能を設けるとよい。そうすることにより管理センター１６からの説明を受けながら、両手でパッケージを開封して薬を飲んだり、患部に塗布したりすることが可能になる。
【００１６】
このように本発明の通報システムと配置薬業の流通システムを融合した場合には、電池切れなどのおそれのない信頼性に優れた通報システムが構築でき、また、薬の誤用や薬切れのない配置薬の流通システムが構築できる。
【００１７】
次に、本発明の通報システムの緊急時の概要を図３のフローチャートに基づき説明する。なお、実施形態において記憶手段１１のＲＡＭには、１番目に使用者の第１子の通信装置１５（固定電話機）の回線番号が、２番目に使用者の弟の通信装置１５（固定電話機）の回線番号が、そして３番目に使用者の友人の通信装置１５（携帯電話機）の回線番号が登録されているものとする。また、薬箱１は使用者の屋敷内の所定の場所に置かれている。
【００１８】
さて、使用者が、自身の体調に何らかの異常を感じると、咄嗟に誰かに連絡して助けを求めることや、必要な薬のことを考える。一方、本発明の薬箱１には、緊急時の連絡手段と薬の両方が兼ね備わっているため、薬のことを考えた場合と、緊急連絡を考えた場合のどちらの考えを切っ掛けにしても本発明の薬箱１のことを思い浮かべる。従って体調に異常を来しパニックに陥っている使用者であっても、本発明の薬箱１がある場所に行き、通報スイッチ８を押すことができる。
【００１９】
このようにして使用者が通報スイッチ８を押してＯＮにした場合、図３のフローチャートに沿って通報システムが作動する。すなわち、先ず制御装置１４が通報スイッチ８のＯＮ信号を検知すると、変数Ｎの初期値として「１」が設定され（ステップＳ１）、ステップＳ２においてその変数Ｎが「３」より大きいか否かが判断される。ここで変数Ｎは「３」より小さい「１」であるからステップＳ３に至り、第Ｎ番目、つまり第１番目の回線番号として登録された使用者の第１子の通信装置１５が呼び出される。
【００２０】
そして、ステップＳ４により呼出開始から所定時間（例えば２５秒）が経過したか否か、また、ステップＳ５により前記回線が接続されたか否かが判断され、ここで回線が接続された場合はステップＳ６で例えば「非常事態が発生しました。」の音声メッセージが相手の通信装置１５に送られ、ステップＳ７で相手の通信装置１５から使用者の室内のモニターを可能にする。従ってこの状態で使用者が助けを求めることができ、また、そうでなくとも連絡を受けた相手に使用者の室内をモニターさせて状況を察知させることができる。
【００２１】
次に、この状態で連絡を受けた相手が所定の解除信号（例えば「７」のキーを５回以上連続送信する。）を実行した場合、ステップＳ８からステップＳ９に至り、室内をモニターする通常の警戒モードに切り替わって通報システムを終了する。
【００２２】
また、もしステップＳ８で所定の解除信号が確認できない状態が所定時間（例えば２５秒）継続するか（ステップＳ１０）、又はステップＳ３の呼び出しに所定時間内に応答しない場合（ステップＳ４）は、ステップＳ１１で前記変数Ｎに「１」を加えてステップＳ２に戻り、第２番目の回線番号として登録された使用者の弟の通信装置１５を呼び出すべく上記動作を繰り返し、そしてさらに第３番目の回線番号として登録された使用者の友人の通信装置１５を呼び出し、最終的に誰も呼び出しに応答しない場合はステップＳ２からステップＳ９に至り、室内をモニターする通常の警戒モードに切り替わって通報システムを終了する。なお、第４番目に管理センター１６の通信装置を設定して、最終的に管理センター１６を呼び出すようにしてもよい。
【００２３】
以上のように本発明の通報システムでは、通報スイッチ８をＯＮにすることにより予め登録した３人に対し順番に呼び出しを行うから、そのうちの誰かにつながる可能性が高く、従って救急車（犯罪に関する通報の場合は警察のパトロールカー、火災に関する通報の場合は消防車）の手配など適切且つ迅速な対応が可能になる。
【００２４】
以上本発明を実施の形態について説明したが、もちろん本発明は上記実施形態に限定されるものではない。例えば実施形態では登録可能な人数を３人に限定したが、それ以上であってもそれ以下であってもよい。
また、実施形態では薬箱１と中継装置３とを無線でつなぐ構成にしたが、薬箱１と中継装置３とを有線で接続するか、或は薬箱１に中継装置３を組み込んで一体化するようにしてもよい。また、固定電話機２がコードレスホンである場合、薬箱１を子機的に接続して固定電話機２と無線で交信させるようにしてもよい。
【００２５】
また、実施形態では薬箱１を箱本体５と開閉自在な蓋体６の組合せとしたが、筒形の外箱に箱形の内箱を組み合わせた抽出式の薬箱であってもよい。
また、実施形態では箱本体５に送信機７を組み込むようにしたが、送信機７を既存の薬箱１に貼り付けたり、或は薬箱１にポケットを形成してそのポケットに送信機７を差し込むようにしてもよい。
また、実施形態では薬箱１に通報スイッチ８とセンター用通信スイッチ９を設けるようにしたが、少なくとも通報スイッチ８があれば通報システムは成立する。
また、公衆回線網１２は既存の電話回線網に限定されず、インターネットを利用した回線網であってもよい。
【００２６】
また、実施形態では通報スイッチ８とセンター用通信スイッチ９を、箱本体５の側板５ａの手前側（蓋体６の開放端側）に設けたが、図４に示したように箱本体５の側板５ａであって背側（蓋体６の軸着側であって、横の側板５ａの背寄り側と後ろの側板５ａの双方を含む。）に設けるようにしてもよい。この場合、通報スイッチ８又はセンター用通信スイッチ９の誤用防止効果が期待できる。ちなみに通報スイッチ８又はセンター用通信スイッチ９が箱本体５の側板５ａの手前側にある場合には、通報スイッチ８又はセンター用通信スイッチ９が目立ちやすくて良いものの、蓋体６を開閉する際に箱本体５を支える指で誤って通報スイッチ８又はセンター用通信スイッチ９を押す可能性がある。
また、通報スイッチ８及び／又はセンター用通信スイッチ９は、蓋体６側に設けてもよく、また、薬箱１の内側に向けて通報スイッチ８及び／又はセンター用通信スイッチ９を設けてもよい。
【００２７】
なお、上記実施形態に関する説明には、次のような技術的思想が含まれている。「公衆回線網に対し直接又は固定電話機を介して有線又は無線で接続する薬箱に、前記公衆回線網に有線又は無線で接続された外部の通信装置のうち予め登録された回線番号のものを呼び出す通報スイッチを設け、さらにその薬箱又はその薬箱につながる付属装置に記憶手段を設け、その記憶手段にＮ個分の通信装置の回線番号を登録し、前記通報スイッチをＯＮにした場合に第１番目の通信装置の呼出動作を実行し、その通信装置が所定時間内につながらない場合に次の通信装置の呼出動作に移行し、かかる呼出動作をＮ番目の通信装置まで順番に行うようにしたことを特徴とする通報システム。」
【図面の簡単な説明】
【００２８】
【図１】通報システムの概略を説明するブロック図である。
【図２】薬箱の斜視図である。
【図３】通報システムの作動を説明するフローチャートである。
【図４】他の形態を示す薬箱の斜視図である。
【符号の説明】
【００２９】
１  …薬箱
２  …固定電話機
８  …通報スイッチ
９  …センター用通信スイッチ
１２…公衆回線網
１５，１５…通信装置
１６…管理センター
【図１】
2007325125.tif 000003
【図２】
2007325125.tif 000004
【図３】
2007325125.tif 000005
【図４】
2007325125.tif 000006